(57)【特許請求の範囲】
【請求項１】
受熱底板、その周辺の縁およびこの縁に回動自在に軸着された把手からなる焼きあみ器であって、把手の先端および周辺の縁にはそれぞれ軸を挿入する筒が形成され、縁の筒は中央部分が切り欠かれて両端のみから構成され、この切り欠かれた部分に把手先端の筒を嵌め込んで縁の筒と把手の先端の筒とをつなぎ合わせて一本化し、この一本化された筒に軸を挿入して把手を縁に回動自在に軸着した焼きあみ器において、前記軸を二本に分割し、一方の軸を把手先端の筒に一端が突出するように固着し、この突出された軸を縁の一方の筒に挿入しながら把手先端の筒を中央部分に嵌め込み、他方の軸を縁の他方の筒から、把手の筒に固着された軸に連結することを特徴とする焼きあみ器。
【請求項２】
請求項１において、他方の軸はあみ器の他方の筒を通して、把手の筒に固着された軸にネジ止めにより連結される請求項１に記載の把手の取付方法。
【請求項３】
請求項１において、他方の軸はあみ器の他方の筒を通して、把手の筒に固着された軸に接着剤によって連結される請求項１に記載の把手の取付方法。
【請求項４】
請求項１において、他方の軸表面に突起を形成するとともに、把手の筒に固着された軸内面に溝を形成し、突起を溝に強制的に嵌め込み、連結される請求項１に記載の把手の取付方法。
【請求項５】
請求項１において、他方の軸表面に溝を形成するとともに、把手の筒に固着された軸内面に突起を形成し、突起を溝に強制的に嵌め込み、連結される請求項１に記載の把手の取付方法。
【請求項６】
請求項１において、あみ器は箱状あみ器である請求項１に記載の把手の取付方法。
【発明の詳細な説明】
【技術分野】
【０００１】
本発明は受熱底板、その周辺の縁およびこの縁に回動自在に軸着された把手からなり、受熱底板上に中あみを敷設し、この中あみ上に魚、肉、野菜、おにぎり等各種食品素材を載せて焼き加工する焼きあみ器にかかり、特に、把手の縁への軸着が容易であり軸着にあたって、受熱底板周辺の縁等を傷つけることなく取りつけられる焼きあみ器に関する。
【背景技術】
【０００２】
魚、肉、野菜、おにぎり等各種食品素材を載せて焼き加工する焼きあみ器として、従来、周縁に把手が回動自在に軸着された焼きあみ器が知られている。これを便宜上図１〜図４を用いて説明すると次のとおりである。
【０００３】
図１〜図４において、焼きあみ器１は受熱底板２、その周辺の縁３、および縁３に回動自在に軸着された把手４から基本的に構成される。この種の焼きあみ器１は使用に際して、
図１に示されるように受熱底板２上に中あみ５を敷設し、この中あみ５上に各種食品素材（図示せず）を載せ、蓋６をかぶせて中あみ５上の各種食品素材を焼き加工する。７は蓋６のにぎり、８は穴である。
【０００４】
把手４の先端９および焼きあみ器１周辺の縁３にはそれぞれ軸１０を挿入する筒１１が形成され、この筒１１は縁３の中央部分１２が切り欠かれて両端１３、１３のみから構成される。この切り欠かれた中央部分１２に把手４の先端９の筒１１を嵌め込んで縁３の筒１１と把手４先端９の筒１１とをつなぎ合わせて一本化し、この一本化された筒１１に軸１０を挿入して把手４を縁３に回動自在に軸着する。
【０００５】
しかし、上述公知の焼きあみ器１では、一本化された筒１１に軸１０を挿入する際、ハンマー等で軸を強制的に押し込むため、縁３や把手４の先端９が傷になってしまい、商品価値が低下する。
【特許文献１】特願２００２−２４８４６２
【発明の開示】
【発明が解決しようとする課題】
【０００６】
そこで本発明の課題は受熱底板、その周辺の縁およびこの縁に回動自在に軸着された把手を主に備え、使用に際して、受熱底板上に中あみを敷設し、この中あみ上に魚、肉、野菜、おにぎり等各種食品素材を載せ、蓋をかぶせて焼き加工する焼きあみ器において、筒に軸を挿入する際にハンマー等で軸を強制的に押し込む必要がなく、このため、軸着作業が容易であって、受熱底板周辺の縁等をハンマー等で傷つけることがなく、従来技術に存する欠点を改良した焼きあみ器を提供することにある。
【課題を解決するための手段】
【０００７】
上述の課題を解決するため、本発明の焼きあみ器によれば、受熱底板、その周辺の縁およびこの縁に回動自在に軸着された把手からなる焼きあみ器であって、把手の先端および周辺の縁にはそれぞれ軸を挿入する筒が形成され、縁の筒は中央部分が切り欠かれて両端のみから構成され、この切り欠かれた部分に把手先端の筒を嵌め込んで縁の筒と把手の先端の筒とをつなぎ合わせて一本化し、この一本化された筒に軸を挿入して把手を縁に回動自在に軸着した焼きあみ器において、前記軸を二本に分割し、一方の軸を把手先端の筒に一端が突出するように固着し、この突出された軸を縁の一方の筒に挿入しながら把手先端の筒を中央部分に嵌め込み、他方の軸を縁の他方の筒から、把手の筒に固着された軸に連結することを特徴とする。
【発明の効果】
【０００８】
上述の本発明は筒に挿入する軸を二本に分割し、一方の軸を把手先端の筒に一端が突出するように固着し、この突出された軸を縁の一方の筒に挿入しながら把手先端の筒を中央部分に嵌め込み、他方の軸を縁の他方の筒から、把手の筒に固着された軸にネジ止めや接着剤等により連結するようにしたから、軸着作業が容易であって、従来のように、ハンマー等により筒に軸を強制的に押し込む操作は必要なく、したがって、受熱底板周辺の縁等をハンマー等で傷つけることがなく、商品価値が向上する。
【発明を実施するための最良の形態】
【０００９】
以下、本発明を添付図面を用いて詳述する。図１は本発明にかかる焼きあみ器の一具体例の斜視図であって、この焼きあみ器１は受熱底板２、その周辺の縁３およびこの縁３に回動自在に軸着された把手４から主として構成され、箱状を形成する。このような本発明にかかる焼きあみ器１は使用に際して、図１の分解斜視図に示されるように、受熱底板２上に中あみ５を敷設し、この上に図示しない食品素材を載せ、蓋６をかぶせて受熱底板２の下方から加熱する。７は蓋６のにぎり。
【００１０】
図２は図１に示される本発明にかかる焼きあみ器１の平面図、図３は図２のＡ−Ａ線断面図である。把手４の先端９および周辺の縁３にはそれぞれ、軸１０を挿入する筒１１が形成される。縁３の筒１１は図４に示されるように、中央部分１１ａが切り欠かれて縁３裏側の両方の端の筒１１ｂ、１１ｂのみで構成され、この切り欠かれた中央部分１１ａに図４に示されるように、把手４の先端９の筒１１ｃを嵌め込み、縁３の両端の筒１１ｂ、１１ｂと、把手４の先端９の筒１１ｃとをつなぎ合わせて一本化し（貫通させ）、筒１１を形成する。把手４はこの一本化された筒１１に軸１０を挿入して把手４を縁３に回動自在に軸着する。
【００１１】
本発明の特徴は図５および図６に示されるように、軸１０を二本の軸１０ａ、１０ｂに分割し、図４に示されるように一方の軸１０ａを把手４先端９の筒１１ｃに、一端が突出するように固着し、この突出された軸１０ａを縁３の一方の筒１１ｂに挿入しながら把手４先端９の筒１１ｃを中央部分１１ａに嵌め込み、他方の軸１０ｂを図５および図６に示されるように縁３の他方の筒１１ｂから把手４の筒１１ｃに固着された軸１０ａにネジ止めにより固着することに存する。
【００１２】
他方の軸１０ｂを一方の軸１０ａに固着する方法として、図５および図６に示されるネジ止めのほかに、図７に示されるように接着剤１２によることもできる。
【００１３】
さらに、図８に示されるように、他方の軸１０ｂの表面に突起１３を形成するとともに、把手４の筒１１に固着された軸１０ａの内面に溝１４を形成し、他方の軸１０ｂを把手４の筒１１に固着された軸１０ａに挿入することにより、突起１３を溝１４に強制的に嵌め込み、連結して固着される。
【００１４】
さらに、他方の軸１０ｂを一方の軸１０ａに固着する方法として、図９に示されるように、他方の軸１０ｂの表面に溝１４を形成するとともに、把手４の筒１１に固着された軸１０ａの内面に突起１３を形成し、他方の軸１０ｂを把手４の筒１１に固着された軸１０ａに挿入することにより、突起１３を溝１４に強制的に嵌め込み、連結して固着される。
【産業上の利用可能性】
【００１５】
上述の本発明焼きあみ器は受熱底板、その周辺の縁およびこの縁に回動自在に軸着された把手から構成され、上述軸を二本に分割し、一方の軸を把手先端の筒に一端が突出するように固着し、この突出された軸を縁の一方の筒に挿入しながら把手先端の筒を中央部分に嵌め込み、他方の軸を縁の他方の筒から、把手の筒に固着された軸にネジ止め等により連結するようにしたから、把手の縁への軸着にあたって、軸を筒に挿入する際、従来のようにハンマー等でたたいて押し込むのではなく、ドライバーでネジ止めし、あるいは接着剤で固着し、したがって受熱底板周辺の縁等を傷つけることがなく、実用上の利用可能性が高い。
【図面の簡単な説明】
【００１６】
【図１】本発明にかかる焼きあみ器および附属品の分解斜視図である。
【図２】図１の焼きあみ器の平面図である。
【図３】図２のＡ−Ａ線断面図である。
【図４】把手の縁への取付状態を表した平面図である。
【図５】他方の軸の把手先端への取付状態を表した平面図である。
【図６】他方の軸の把手先端へのネジ止めによる取付状態を表した平面図である。
【図７】他方の軸の把手先端への接着剤による取付状態を表した平面図である。
【図８】他方の軸の把手先端への、他方の軸に形成された突起を一方の軸内面に形成された溝に嵌め込めることによる取付状態を表した平面図である。
【図９】他方の軸の把手先端への、他方の軸に形成された溝に一方の軸内面に形成された突起を嵌め込むことによる取付状態を表した平面図である。
【符号の説明】
【００１７】
１  焼きあみ器
２  受熱底板
３  縁
４  把手
９  先端
１０  軸
１０ａ  一方の軸
１０ｂ  他方の軸
１１  筒
１１ａ  中央部分
１１ｂ  端の筒
１１ｃ  把手の先端の筒
１２  接着剤
１３  突起
１４  溝
【図１】
0004452680.tif 000002
【図２】
0004452680.tif 000003
【図３】
0004452680.tif 000004
【図４】
0004452680.tif 000005
【図５】
0004452680.tif 000006
【図６】
0004452680.tif 000007
【図７】
0004452680.tif 000008
【図８】
0004452680.tif 000009
【図９】
0004452680.tif 000010